【手続補正書】
【提出日】平成24年6月7日(2012.6.7)
【手続補正１】
【補正対象書類名】特許請求の範囲
【補正対象項目名】全文
【補正方法】変更
【補正の内容】
【特許請求の範囲】
【請求項１】
検査室試験結果を自動検証する方法であって、該方法は、
グラフィカルユーザインタフェース上に表示されるノードを選択するために、コンピュータが、ユーザからの入力を受信することと、
該グラフィカルユーザインタフェース上に、自動検証ルールの概略的表現を提供するフローチャートを形成するように該ノードを接続するために、該コンピュータが、該ユーザからの入力を受信することと、
該コンピュータが、検査室試験結果を受信することであって、該検査室試験結果は、患者の試料において第１の試験を行うことから結果として得られ、該患者の試料は、該第１の試験を指定する試験指示に伴い、該自動検証ルールは、該第１の試験と関連する、ことと、
該検査室試験結果が所定の基準を満たすことを確認するために、該検査室試験結果において、該コンピュータが、該自動検証ルールを実行することと、
該検査室試験結果が該所定の基準を満たすことを該コンピュータが確認した後で、該コンピュータが、該検査室試験結果を外部情報システムに公表することと
を含む、方法。
【請求項２】
前記ノードは、保持ノードを含み、
前記自動検証ルールを実行することは、前記コンピュータが、該保持ノードに関連するルーチンを行うことを含み、該保持ノードに関連する該ルーチンの実行は、該コンピュータに、検査室技術者による手動のレビューのために前記試験結果を保持させる、請求項１に記載の方法。
【請求項３】
前記ノードは、再実行ノードを含み、
前記自動検証ルールを実行することは、前記コンピュータが、該再実行ノードに関連するルーチンを行うことを含み、該再実行ノードに関連する該ルーチンの実行は、該コンピュータに、前記第１の試験を再指示させる、請求項１に記載の方法。
【請求項４】
前記ノードは、デルタチェックノードを含み、
前記自動検証ルールを実行することは、前記コンピュータが、該デルタチェックノードに関連するルーチンを行うことを含み、該デルタチェックノードに関連する該ルーチンの実行は、該コンピュータに、前記検査室試験結果を、最終的に承認された患者に対する検査室試験結果と比較させる、請求項１に記載の方法。
【請求項５】
前記ノードは、範囲チェックノードを含み、
前記自動検証ルールを実行することは、前記コンピュータが、該範囲チェックノードに関連するルーチンを行うことを含み、該範囲チェックノードに関連する該ルーティンの実行は、該コンピュータに、前記検査室試験結果の値が前記ユーザによって選択された範囲内、範囲の下、または範囲の上にあるかどうかを決定させる、請求項１に記載の方法。
【請求項６】
前記フローチャート内の前記ノードを接続するために、前記ユーザからの入力を受信することは、前記範囲チェックノードを第２のノードおよび第３のノードに接続するために、該ユーザからの入力を受信することを含み、該第２のノードおよび該第３のノードは、該フローチャート内のノードの中にあり、
前記方法は、前記検査室によって予め決定されたいくつかの命名された範囲のうちの１つを選択するために、該ユーザからの入力を、前記コンピュータが受信することをさらに含み、該命名された範囲の各々は、所定の上限と、所定の下限とを有し、
該範囲チェックノードに関連するルーチンの実行は、前記検査室試験結果の値を該選択された命名された範囲と比較することを含み、
前記自動検証ルールを実行することは、
該検査室試験結果の値が該選択された命名された範囲内にあるとき、該第２のノードに関連するルーチンを該コンピュータが行うことと、
該検査室試験結果の値が該選択された命名された範囲内にないとき、該第３のノードに関連するルーチンを該コンピュータが行うことと
を含む、請求項５に記載の方法。
【請求項７】
前記フローチャートに挿入するための所与のノードを前記ユーザが選択することに応答して、構成ボックスを前記コンピュータが表示することをさらに含み、該構成ボックスは、該所与のノードを構成するために必要とされるデータを挿入することを該ユーザに促す、請求項１に記載の方法。
【請求項８】
前記外部情報システムは、病院情報システムであり、
前記ノードは、有効ノードを含み、
前記自動検証ルールを実行することは、該有効ノードに関連するルーチンを前記コンピュータが行うことを含み、該有効ノードに関連するルーチンの実行は、該コンピュータに、前記検査室試験結果を該外部情報システムに公表させる、請求項１に記載の方法。
【請求項９】
検査室試験結果を自動検証するコンピュータであって、該コンピュータは、
ソフトウェアプログラムを格納するデータストレージと、
該データストレージに接続されたプロセッサと
を含み、該プロセッサは、該ソフトウェアプログラムによって提供された命令を実行し、該ソフトウェアプログラムの実行は、
グラフィカルユーザインタフェースにおいてフローチャートを表示することであって、該フローチャートは、自動検証ルールの概略的表現を提供する、ことと、
ノードを該フローチャートに挿入するためにユーザからの入力を受信することと、
該フローチャート内のノードを接続するために該ユーザからの入力を受信することと、
検査室試験結果を受信することであって、該検査室試験結果は、患者の試料において第１の試験を行うことから結果として得られ、該患者の試料は、該第１の試験を指定する試験指示に伴い、該自動検証ルールは、該第１の試験と関連する、ことと、
該検査室試験結果が所定の基準を満たすことを確認するために、該検査室試験結果において該自動検証ルールを実行することと、
該検査室試験結果が該所定の基準を満たすことを該コンピュータが確認した後で、該検査室試験結果を外部情報システムに公表することと
を該プロセッサに行わせる、コンピュータ。
【請求項１０】
前記プロセッサによる命令の実行は、前記試験指示の受信の際に、前記自動検証ルールを前記コンピュータに自動的に実行させる、請求項９に記載のコンピュータ。
【請求項１１】
前記自動検証ルールの実行は、前記フローチャート内の複数のノードの少なくともいくつかに関連するルーチンを行うことを含む、請求項９に記載のコンピュータ。
【請求項１２】
前記フローチャート内の複数のノードは、希釈ノードを含み、
前記自動検証ルールの実行は、該希釈ノードに関連するルーチンを行うことを含み、該希釈ノードに関連するルーチンの実行は、前記プロセッサに、前記患者の試料の希釈と該希釈された試料における前記第１の試験の再実行とを指示させる、請求項１１に記載のコンピュータ。
【請求項１３】
前記フローチャート内の複数のノードは、試験中止ノードを含み、
前記自動検証ルールの実行は、該試験中止ノードに関連するルーチンを行うことを含み、該試験中止ノードに関連するルーチンの実行は、前記プロセッサに、試験が存在する場合に前記試料における試験を中止させる、請求項１１に記載のコンピュータ。
【請求項１４】
前記フローチャート内の複数のノードは、手動ワークフローノードを含み、
前記自動検証ルールの実行は、該手動ワークフローノードに関連するルーチンを行うことを含み、該手動ワークフローノードに関連するルーチンの実行は、前記プロセッサに、検査室技術者によって行われるべき動作を要求させる、請求項１１に記載のコンピュータ。
【請求項１５】
前記プロセッサによる命令の実行は、
ルール構築ウインドウを表示することであって、該ルール構築ウインドウは、前記フローチャート内のノードを含む、ことと、
前記ユーザが、メニューから選択されたノードを選択することに応答して、該選択されたノードを、該ルール構築ウインドウに挿入することと、
該選択されたノードを該ルール構築ウインドウに存在する別のノードに接続することであって、前記コンピュータは、他のノードに対する所望の接続を行うために、該ユーザが、該選択されたノード上でクリックし、該選択されたノードをドラッグすることに応答して、該選択されたノードと該他のノードとを接続する、ことと
を該プロセッサに行わせる、請求項１１に記載のコンピュータ。